(57)【特許請求の範囲】
【請求項１】
移動通信システム（５００）の基地局（５０１）における通信方法（１００）であって、前記移動通信システム（５００）は複数の基地局を含み、前記基地局（５０１）とユーザ装置（５０２）との間には通信リンクが確立され、前記方法は、前記基地局（５０１）によって実行され、
前記ユーザ装置のハンドオーバのためのターゲット基地局（５０３）として、前記複数の基地局のうちの１つを選択するステップ（１０１）と、
ハンドオーバ要求を、前記ターゲット基地局（５０３）に送信するステップ（１０２）と、
前記ターゲット基地局（５０３）の少なくとも１つの物理リソースを示しているハンドオーバ要求肯定応答を、前記ターゲット基地局（５０３）から受信するステップ（１０３）と、
前記少なくとも１つの物理リソースを使用して、前記ターゲット基地局（５０３）にアクセスするために必要な情報を記述しているハンドオーバ・コマンドを、前記通信リンクを介して前記ユーザ装置に送信するステップ（１０４）と
を含み、
前記ハンドオーバ要求は、前記ハンドオーバ・コマンドを送信するために、前記基地局（５０１）によって使用されることになる前記物理リソースの情報を含み、
前記ターゲット基地局（５０３）は、
前記ハンドオーバ・コマンドの前記送信中に前記物理リソースを送信しないため、
又は、
低減された送信電力で該物理リソースを送信するために、
前記情報を使用し、
前記少なくとも１つの物理リソースを示している記述は、前記ユーザ装置（５０２）の一時識別子を用いたモジュロ演算で復号化され、
前記物理リソースは、物理リソース・ブロック（ＰＲＢ）であり、
前記モジュロ演算は、前記一時識別子から少なくともあらかじめ定義された桁位置において、前記物理リソース・ブロックの第１のブロック位置を復号化し、
前記物理リソースは、前記ハンドオーバ・コマンドの前記送信中の前記ターゲット基地局（５０３）による干渉を最小限にするために選択される、方法。
【請求項２】
前記物理リソースは、周波数スペクトル、タイムスロット、物理リソース・ブロック（３０３、３０４）、またはアンテナ・ビームのうちの少なくとも１つである、請求項１に記載の通信交渉方法。
【請求項３】
前記物理リソース・ブロックは、前記ハンドオーバ・コマンドの前記送信中に、前記ターゲット基地局（５０３）によって送信されない、請求項１に記載の通信方法。
【請求項４】
前記ハンドオーバ要求肯定応答は、前記物理リソース・ブロックのブロック位置をさらに示しており、前記ハンドオーバ・コマンドは、前記物理リソース・ブロックの前記ブロック位置において送信される、請求項１に記載の通信方法。
【請求項５】
前記ハンドオーバ要求は、前記ハンドオーバ・コマンドの送信中に前記基地局（５０１）によって使用されることになる前記物理リソースの情報を含み、前記ターゲット基地局（５０３）は、前記ハンドオーバ・コマンドの前記送信中に低減された送信電力で前記物理リソースを送信するために前記情報を使用する、請求項１に記載の通信方法（Ａｌｔ．２）。
【請求項６】
前記移動通信システムは、周波数再利用−１マルチキャリア・システムである、請求項１に記載の通信方法。
【請求項７】
請求項１乃至６のいずれかに従って実行するように動作可能である基地局（５０１）。
【請求項８】
プログラムが基地局で実行されるときに、前記基地局に、請求項１乃至６のいずれかに従った方法を実行させるように実行可能なプログラム手段を含む、記憶媒体に記憶されたコンピュータ・プログラム製品（５０８）。
【発明の詳細な説明】
【技術分野】
【０００１】
本発明は、移動通信システムの基地局において物理リソースを割り当てるための電気通信方法、基地局、移動通信システム、およびコンピュータ・プログラム製品に関する。
【背景技術】
【０００２】
セルラ・ネットワークにおいて、セルは、通常、いくつかの隣接したセルを有する。ハンドオーバ手続きは、ユーザ装置が１つのセルから別のセルへの境界を横断するときの呼の継続を可能にする。ハンドオーバの基本的な概念は、ユーザ端末が１つのセルのカバレッジ・エリアから別のセルのカバレッジ・エリアへと移動するときに、ターゲット・セルへの新たな接続が設定され、それまでのセルへの接続が解放されてもよいことである。ハンドオーバの間は、シグナリング・メッセージの遅延が原因で、または候補基地局とソース基地局とによるシグナリング中の問題が原因で、データの中断が発生することがある。
【０００３】
一般に、ユーザ装置が、セルラ無線システムの１つのセルから別のセルへと移動して、ハンドオーバが実行されるとき、ハンドオーバを、ハード・ハンドオーバ、またはソフト・ハンドオーバと称することができる。ハード・ハンドオーバの間は、それまでの接続が、新たな接続が設定される前に切断される。したがって、データ中断の問題を減少させるために、ハンドオーバ・マージンが使用される。しかしながら、ハンドオーバ・マージン、およびハンドオーバ手続きの遅延に起因するような場合においては、基地局接続を利用することができない。
【０００４】
さらに、基地局を識別し、移動通信システムのアクティブ・セットを形成するために、パイロット信号が使用される。パイロット信号は、各基地局によって、そのサービス・カバレッジ・エリアを超えてまで継続的に送信される。その信号はそれぞれ異なることから、ユーザ装置は、パイロット信号に基づいて、基地局を識別することができる。ユーザ装置は、継続的にパイロット信号を測定し、ユーザ装置の付近に位置している、ハンドオーバまたは接続確立のための考え得る候補である基地局の測定リスト、および対応するパイロット信号の信号品質レベルを維持する。
【０００５】
測定リスト上の基地局は、サービング基地局になることができる候補のグループを形成する。ユーザ装置は、測定リスト上にあるそれらの基地局のみのパイロット信号をモニタすることができる。ユーザ装置が移動するとき、測定リストは必要に応じて更新される。更新プロセスは、パイロット信号の強度に基づいたユーザ装置の測定値に従って実行され、言い換えれば、ある基地局によって送信されたパイロット信号が十分な強度で受信された場合、それは測定リストに加えられる。ハンドオーバの間は、ハンドオーバ・コマンドを送信しているときの干渉が、ハンドオーバの失敗を引き起こすことがある。
【発明の概要】
【課題を解決するための手段】
【０００６】
本発明は、移動通信システムの基地局における電気通信方法に関し、移動通信システムは複数の基地局を含み、基地局とユーザ装置との間には通信リンクが確立され、方法は、基地局によって実行される以下の、ユーザ装置のハンドオーバのためのターゲット基地局として、複数の基地局のうちの１つを選択するステップと、ハンドオーバ要求を、ターゲット基地局に送信するステップと、ターゲット基地局の少なくとも１つの物理リソースを示しているハンドオーバ要求肯定応答を、ターゲット基地局から受信するステップと、少なくとも１つの物理リソースを使用して、ハンドオーバ・コマンドを、通信リンクを介してユーザ装置に送信するステップとを含む。ハンドオーバ・コマンドは、ターゲット基地局にアクセスするために必要な情報を記述している。
【０００７】
用語「基地局」は、本明細書で使用されるとき、ユーザ装置とデータを交換することが可能な、任意のタイプの固定ネットワーク要素を指す。用語「ユーザ装置」は、本明細書で使用されるとき、無線通信リンク上で無線通信ネットワークとデータを交換することが可能な、任意のタイプの固定または移動（もしくは携帯できる）通信端末を指す。したがって、ユーザ装置は、とりわけ、ローカル・ルータもしくはサーバに接続され、無線通信インターフェースを備えた電話またはデスクトップ・コンピュータ、移動電話、無線通信インターフェースを備えたラップトップ・コンピュータまたは携帯情報端末（すなわちＰＤＡ）、無線通信インターフェースを備えたサーバまたはローカル・ルータ、高周波数無線受信機、あるいは地上放送の、または衛生のテレビ受像機であってよい。
【０００８】
本発明の効果の１つは、ハンドオーバ・コマンドをユーザ装置に送信するときに、隣接した基地局により引き起こされる、特にハンドオーバによるターゲット基地局からの干渉を、低減する、または除去することである。ハンドオーバ・コマンドの正常な送信は、全体のハンドオーバ手続き中の重要なステップである。というのは、ハンドオーバ・コマンドが、ハンドオーバを完了するためのすべての関連情報をユーザ装置と通信するからである。
【０００９】
ある実施形態によれば、物理リソースは、周波数スペクトル、タイムスロット、物理リソース・ブロック、またはアンテナ・ビームのうちの少なくとも１つである。
【００１０】
ある実施形態によれば、第１の物理リソースの記述は、ユーザ装置の一時識別子からあらかじめ定義されたアルゴリズムで復号化される。
【００１１】
ある実施形態によれば、あらかじめ定義されたアルゴリズムは、基地局およびターゲット基地局の設定中に決定され、物理リソースは、物理リソース・ブロックであり、あらかじめ定義されたアルゴリズムは、一時識別子から少なくともあらかじめ定義された桁位置において、物理リソース・ブロックの第１のブロック位置を復号化する。
【００１２】
ある実施形態によれば、あらかじめ定義されたアルゴリズムは、一時識別子によるモジュロ演算である。
【００１３】
ある実施形態によれば、物理リソースは、物理リソース・ブロック（ＰＲＢ）であり、物理リソース・ブロックは、ハンドオーバ・コマンドの送信中に、低減された送信電力で、ターゲット基地局によって送信される。
【００１４】
ある実施形態によれば、物理リソースは、物理リソース・ブロック（ＰＲＢ）であり、物理リソース・ブロックは、ハンドオーバ・コマンドの送信中に、ターゲット基地局によって送信されない。
【００１５】
ある実施形態によれば、ハンドオーバ要求肯定応答は、物理リソース・ブロックのブロック位置をさらに示しており、ハンドオーバ・コマンドは、物理リソース・ブロックのブロック位置において送信される。
【００１６】
ある実施形態によれば、物理リソースは、ハンドオーバ・コマンドの送信中のターゲット基地局による干渉を最小限にするために選択される。
【００１７】
ある実施形態によれば、ハンドオーバ要求は、ハンドオーバ・コマンドの送信中に基地局によって使用されることになる物理リソースの情報を含み、ターゲット基地局は、ハンドオーバ・コマンドの送信中に低減された送信電力で物理リソースを送信するために情報を使用する。
【００１８】
ある実施形態によれば、ハンドオーバ要求は、ハンドオーバ・コマンドを送信するために、基地局によって使用されることになる物理リソースの情報を含み、ターゲット基地局は、ハンドオーバ・コマンドの送信中に物理リソースを送信しないために情報を使用する。
【００１９】
ある実施形態によれば、移動通信システムは、周波数再利用−１マルチキャリア・システムである。
【００２０】
別の態様において、本発明は、前述の実施形態のうちのいずれかに従って実行するように動作可能である基地局に関する。
【００２１】
別の態様において、本発明は、移動通信システムにおける電気通信方法に関し、移動通信システムは複数の基地局を含み、基地局とユーザ装置との間には通信リンクが確立され、方法は、
−  ユーザ装置のハンドオーバのためのターゲット基地局として、複数の基地局のうちの１つを、基地局が選択するステップと、
−  ハンドオーバ要求を、ターゲット基地局に、基地局が送信するステップと、
−  ターゲット基地局の少なくとも１つの物理リソースの記述を、ユーザ装置の一時識別子においてあらかじめ定義されたアルゴリズムで、ターゲット基地局が符号化するステップと、
−  ユーザ装置の一時識別子を含むハンドオーバ要求肯定応答を、基地局に送信するステップと、
−  少なくとも１つの物理リソースを使用して、ターゲット基地局にアクセスするために必要な情報を記述しているハンドオーバ・コマンドを、通信リンクを介して、ユーザ装置に、基地局が送信するステップと
を含む。
【００２２】
別の態様において、本発明は、プログラムが基地局で実行されるときに、基地局に、前述の実施形態のうちのいずれかに従った方法を実行させるように実行可能なプログラム手段を含む、記憶媒体に記憶されたコンピュータ・プログラム製品に関する。
【００２３】
以下で、本発明の好ましい実施形態を、図面を参照しながら例としてのみ、より詳細に説明する。
【図面の簡単な説明】
【００２４】
【図１】移動通信システムの基地局における電気通信方法の実施形態の流れ図である。
【図２】電気通信方法時のシグナリングの実施形態を示す図である。
【図３】基地局およびターゲット基地局における、物理リソース・ブロックの使用の実施形態を示す図である。
【図４】移動通信システムの基地局およびターゲット基地局における、物理リソース・ブロックの使用の実施形態を示す図である。
【図５】通信システムのブロック図である。
【発明を実施するための形態】
【００２５】
図１は、移動通信システムの基地局における電気通信方法の流れ図１００を示す。移動通信システムは、複数の基地局を含み、基地局とユーザ装置との間には、電気通信リンクが確立される。第１のステップ１０１で、複数の基地局のうちの１つが、ユーザ装置のハンドオーバのためのターゲット基地局として選択される。第２のステップ１０２で、ハンドオーバ要求が、ターゲット基地局に送信される。第３のステップ１０３で、ハンドオーバ要求肯定応答が、ターゲット基地局から受信される。ハンドオーバ要求肯定応答は、ターゲット基地局の少なくとも１つの物理リソースを示している。第４のステップ１０４で、ハンドオーバ・コマンドが、電気通信リンクを介して、ユーザ装置に送信される。ハンドオーバ・コマンドの送信は、物理リソースを使用する。ハンドオーバ・コマンドは、ターゲット基地局にアクセスするために必要な情報を記述している。
【００２６】
さらに、物理リソースの表示は、以下の１つまたは複数に対応することができる。
−  物理リソース・ブロック
−  ユーザ装置の位置情報
−  ユーザ装置が位置するビーム
−  チャネル品質インジケータ（Ｃｈａｎｎｅｌ  ｑｕａｌｉｔｙ  ｉｎｄｉｃａｔｏｒ：ＣＱＩ）、予符号化マトリックス・インデックス（ｐｒｅｃｏｄｉｎｇ  ｍａｔｒｉｘ  ｉｎｄｅｘ：ＰＭＩ）、ランク・インジケータ（Ｒａｎｋ  ｉｎｄｉｃａｔｏｒ：ＲＩ）を含む、ユーザ装置のチャネル状態情報（Ｃｈａｎｎｅｌ  Ｓｔａｔｅ  Ｉｎｆｏｒｍａｔｉｏｎ：ＣＳＩ）。
【００２７】
図２は、移動通信システムにおいてハンドオーバ手続き中の、基地局２０１、ユーザ装置２０２、およびターゲット基地局２０３の間のシグナリングを示す。
【００２８】
ユーザ装置２０２は、ユーザ装置２０２とリンクを確立した基地局に相当する基地局２０１に、測定報告を継続的に送信する。基地局２０１は、測定報告において受信した情報を使用して、基地局の候補リストを編成する。測定報告は、候補基地局へのハンドオーバを示す、またはトリガすることができる。ユーザ装置２０２のハンドオーバのためのターゲット基地局２０３が、基地局の候補リストから選択される。ハンドオーバのための候補基地局が選択された後に、基地局２０１は、ハンドオーバ要求２０４を、ターゲット基地局２０３に送信する。
【００２９】
次いで、ターゲット基地局２０３は、ハンドオーバ要求２０４を受信し、ハンドオーバのためのターゲット基地局２０３のリソース可用性の評価２０５を作成する。ターゲット基地局２０３は、ターゲット基地局２０３にアクセスするためのユーザ装置２０２の一時識別子を含むことができる、ハンドオーバのためのリソースを準備する。さらに、ターゲット基地局２０３は、ハンドオーバを受け入れ、一時識別子を含むハンドオーバ要求肯定応答２０６を、基地局２０１に送信する。ハンドオーバ要求肯定応答２０６は、ターゲット基地局２０３の少なくとも１つの物理リソースを示している。物理リソースは、周波数スペクトル部分、特定のタイムスロット、ターゲット基地局の特定のビーム、または物理リソース・ブロックであってよい。物理リソースは、一時識別子に符号化されてよい。
【００３０】
ハンドオーバ要求肯定応答２０６の受信後、基地局２０１は、ユーザ装置２０２へのハンドオーバ・コマンド２０８の送信中に使用されることになる物理リソースのスケジューリング２０７のために、ターゲット基地局の物理リソースから受信した情報を使用する。次いで、基地局２０１は、物理リソースを使用して、ハンドオーバ・コマンド２０８を、電気通信リンクを介してユーザ装置２０２に送信する。ハンドオーバ・コマンドは、ユーザ装置２０２がターゲット基地局２０３にアクセスするために必要な情報を記述している。
【００３１】
基地局２０１によるハンドオーバ・コマンド２０８の送信中、ターゲット基地局２０３は、低減された送信電力で物理リソースを送信する、またはハンドオーバ・コマンド２０８の送信時の間の物理リソースの送信を一時停止することができる。ターゲット基地局２０３が物理リソースの送信電力を低減することによって、ターゲット基地局２０３によって引き起こされることがある干渉が低減され、または最小限にされ、その結果、ハンドオーバ・コマンド２０８は、低減された干渉で、ユーザ装置２０２によって受信される。
【００３２】
物理リソースの情報は、あらかじめ定義されたアルゴリズムを使用することによってハンドオーバ要求肯定応答に符号化されても、または拡張部分としてハンドオーバ要求肯定応答の中に直接含まれてもよく、あるいは別個のメッセージとしてもよい。さらに、基地局２０１が、ターゲット基地局２０３に、低減された送信電力で特定の物理リソースを使用するように、またはある期間の間、特定の物理リソースの使用をやめるように命令してもよいことが可能である。コマンドは、ハンドオーバ要求２０４内で、または基地局２０１からの別個のメッセージとして、ターゲット基地局２０３に送信されてもよい。
【００３３】
代替的に、基地局２０１は、ハンドオーバ・コマンド２０８の送信中にどの物理リソースを使用するかについての決定を行うことができる。次いで、基地局２０１は、ターゲット基地局２０３に提案を送信することができ、ターゲット基地局２０３は、これを受け入れる、または拒否することができる。ターゲット基地局２０３が、基地局２０１からの物理リソースの使用の提案を拒否した場合、ターゲット基地局２０３は、ハンドオーバ・コマンド２０８の送信中に使用されることになる選択された物理リソースの情報を、ハンドオーバ要求肯定応答の中に、または別個のメッセージにおいて、送信することができる。基地局２０１は、ハンドオーバ要求肯定応答を受信することになり、ターゲット基地局２０３によって送信された情報に基づいて、ハンドオーバ・コマンドの送信中に使用されることになる新たな物理リソースをスケジュールすることができる。
【００３４】
図３は、基地局およびターゲット基地局において使用されることになる物理リソース・ブロックのブロック図３００を示す。基地局３０１およびターゲット基地局３０２は、基地局上で２５個の物理リソース・ブロック３０３を備え、ターゲット基地局上で２５個の物理リソース・ブロック３０４を備える、５ＭＨｚ周波数スペクトルを有する移動通信システムに属していてよい。
【００３５】
物理リソース・ブロック３０３の組の中で、基地局３０１は、ハンドオーバ・コマンドをユーザ装置に送信するための３個の物理リソース・ブロック３０５、すなわち物理リソース・ブロック位置３、４、および５を選択する。物理リソース・ブロックの組の中でハンドオーバ・コマンドの提案された割当てが、ハンドオーバ要求内で、または別個のメッセージとして、ターゲット基地局３０２に送信される。ユーザ装置へのハンドオーバ・コマンドの送信中の干渉を、低減する、または最小限にするために、コマンドは、ターゲット基地局３０２に、物理リソース・ブロック３０６の選択された位置における送信電力を低減するように強制することができる。ターゲット基地局３０２が基地局３０１のコマンドに従うように強制されない場合、ターゲット基地局３０２は、選択された物理リソース・ブロックの送信電力を低減してもよいし、しなくてもよい。ターゲット基地局３０２がコマンドを受け入れることを拒否した場合、ターゲット基地局３０２は、物理リソース・ブロックを新たに選択し、新たに選択されたリソースについて基地局３０１に通知することになる。
【００３６】
図４は、移動通信システムにおける、ターゲット基地局３０２の物理リソース・ブロック３０４、および基地局３０１の物理リソース・ブロック３０３のブロック図４００を示す。ブロック図４００は、ブロック図３００の続きである。ブロック図４００では、ターゲット基地局３０２が、物理リソース・ブロック３０６の送信電力を少なくとも低減することについて、基地局３０１によって送信されたコマンドを拒否する。
【００３７】
ターゲット基地局３０２が、基地局３０１によって送信されたコマンドに従うことを拒否するとき、ターゲット基地局３０２は、ブロック位置２２、２３、および２４において、物理リソース・ブロック４０１を新たに選択し、これが、ハンドオーバ・コマンドが基地局３０１によってユーザ装置に送信される時間の間に、低減された送信電力で送信されることになる。物理リソース・ブロック４０１の新たな選択は、ハンドオーバ要求肯定応答内で、基地局３０１に通知される。
【００３８】
ターゲット基地局３０２によって行われた選択の情報は、ハンドオーバ要求肯定応答内で、またはハンドオーバ要求肯定応答の拡張部分として送信された情報の一部として、符号化されてもよい。代替的には、別個のメッセージを使用して、基地局３０１に、ターゲット基地局３０２の選択を通知してもよい。最終的に、基地局３０１は、ターゲット基地局３０２からの情報を受信し、ターゲット基地局による干渉を最小限にし、ハンドオーバ・コマンド送信の成功の可能性を増やすために、ハンドオーバ・コマンドを送信するための物理リソース・ブロックの以前の選択を更新するように決定し、物理リソース・ブロック４０２内でハンドオーバ・コマンドを割り当てることができる。
【００３９】
ターゲット基地局３０２による物理リソースの選択に関する情報は、ハンドオーバ要求肯定応答内で送信される、ユーザ装置の一時識別子内で符号化されてもよい。情報は、一次識別子の一定の桁位置内で符号化されてもよい。代替的に、基地局３０１は、ターゲット基地局によって使用される物理リソースの開始位置を、一次識別子と物理リソース・ブロックの開始位置との除算の剰余を計算することによって、再計算することができる。この除算の剰余は、ハンドオーバ・コマンドの送信中に、ターゲット基地局が、使用しない、または低減された送信電力で再利用することになる物理リソースがどれかを示すことになる。
【００４０】
０から２４をカウントする２５個の物理リソース・ブロックを備える５ＭＨｚ帯域幅を仮定する計算の例は、以下であってよい。基地局がハンドオーバ・コマンドを送信するために、ターゲット基地局によって選択されたリソースは、２５個の物理リソース・ブロック（ＰＲＢ）内の任意の位置から開始することができる、３個の連続したＰＲＢの組を含む。したがって、０から２２までの、考え得る開始位置（ｐｏｓｓｉｂｌｅ  ｓｔａｒｔｉｎｇ  ｐｏｓｉｔｉｏｎｓ）ｎｐｏｓ＝２３個が存在する。
【００４１】
基地局に対して、ハンドオーバ・コマンド・メッセージの送信のために、ターゲット基地局が、ＰＲＢ位置１３、１４、および１５におけるリソースを選択し、ｎｓｔａｒｔ＝１３を使用する場合、ターゲット基地局は、以下のように計算される、ユーザ装置の新たな一時識別子（たとえば、Ｃ−ＲＮＴＩ）を選択する。
Ｎｅｗ＿Ｃ−ＲＮＴＩ＝Ｎ＊ｎｐｏｓ＋ｎｓｔａｒｔ
Ｎを整数として、ｎｐｏｓ＝２３およびｎｓｔａｒｔ＝１３、
考え得るＣ−ＲＮＴＩ値は、たとえば、１３、３６、５９などである。
【００４２】
基地局は、ｎｐｏｓによる除算の剰余、すなわちｎｐｏｓによるモジュロ演算を計算することによって、開始位置を容易に再計算することができる。ターゲット基地局が、新たなＣ−ＲＮＴＩ＝４８２を信号で伝えた場合、モジュロ計算は以下である。
ｎｓｔａｒｔ＝Ｃ−ＲＮＴＩｍｏｄ  ｎｐｏｓ＝４８２ｍｏｄ２３＝２２．
【００４３】
図５は、基地局５０１と、ユーザ装置５０２と、ターゲット基地局５０３とを含む移動通信システム５００のブロック図を示す。基地局５０１は以下を含む。
−  前記ユーザ装置のハンドオーバのためのターゲット基地局５０３として、前記複数の基地局のうちの１つを選択するためのモジュール５０４。基地局５０１は、たとえば、ユーザ装置５０２から、または基地局５０１が遂行した以前のハンドオーバから受信した、隣接した基地局の測定報告に基づいて選択を行う。
−  ハンドオーバ要求を、前記ターゲット基地局５０３に送信するためのモジュール５０５。ハンドオーバ要求は、基地局５０１をターゲット基地局５０３に連結するＸ２インターフェースを介して送信される。
−  前記ターゲット基地局５０３の少なくとも１つの物理リソースを示しているハンドオーバ要求肯定応答を、前記ターゲット基地局５０３から受信するためのモジュール５０６。ハンドオーバ要求肯定応答に示された少なくとも１つの物理リソースは、ハンドオーバ・コマンドの送信中、ターゲット基地局５０３によって、使用されない、または低減された送信電力で使用される。
−  前記少なくとも１つの物理リソースを使用して、ハンドオーバ・コマンドを、前記通信リンクを介して、前記ユーザ装置５０２に送信するためのモジュール５０７。ハンドオーバ・コマンドは、前記ターゲット基地局５０３にアクセスするために必要な情報を記述している。ターゲット基地局は、少なくとも１つの物理リソースを使用していない、または低減された送信電力でそれを使用しているので、基地局５０１とターゲット基地局５０３との間の干渉が低減される。
−  プログラムが基地局５０１上で実行されるときに、基地局５０１に、前述の実施形態のうちのいずれかに従った方法を実行させるように実行可能なプログラム手段を含む、記憶媒体に記憶されたコンピュータ・プログラム製品５０８。
【符号の説明】
【００４４】
１００  流れ図
１０１  第１のステップ
１０２  第２のステップ
１０３  第３のステップ
１０４  第４のステップ
２００  図
２０１  基地局
２０２  ユーザ装置
２０３  ターゲット基地局
２０４  ハンドオーバ要求
２０５  ハンドオーバ要求肯定応答
２０６  ハンドオーバ・コマンド
３００  ブロック図
３０１  基地局
３０２  ターゲット基地局
３０３  物理リソース・ブロックの組
３０４  物理リソース・ブロックの組
３０５  ＰＲＢの第１の選択
４００  ブロック図
４０１  ＰＲＢの第２の選択
５００  ブロック図
５０１  基地局
５０２  ユーザ装置
５０３  ターゲット基地局
５０４  モジュール
５０５  モジュール
５０６  モジュール
５０７  モジュール
５０８  コンピュータ・プログラム製品
【図１】
0005506820.tif 000002
【図２】
0005506820.tif 000003
【図３】
0005506820.tif 000004
【図４】
0005506820.tif 000005
【図５】
0005506820.tif 000006